(57)【要約】【課題】異なる撮影を容易に切り替えることができる撮像装置を提供する。【解決手段】光源１３ａを有する撮像装置本体１０と、撮像装置本体１０に移動可能に設けられ、入射した光を集光して出射する導光部材２２とコンバージョンレンズ２１とを有するレンズユニット２０と、を備える。光源１３ａから出射された光を導光部材２２に入射させる第１位置と、光源１３ａから出射された光を導光部材２２に入射させない第２位置との間でレンズユニット２０を移動させることで、第１撮影状態と第２撮影状態とを切り替える。【選択図】図４
2018163240.tif 000002
【特許請求の範囲】
【請求項１】
光源を有する撮像装置本体と、
前記撮像装置本体に移動可能に設けられ、入射した光を集光して出射する導光部材とコンバージョンレンズとを有するレンズユニットと、を備え、
前記光源から出射された光を前記導光部材に入射させる第１位置と、前記光源から出射された光を前記導光部材に入射させない第２位置との間で前記レンズユニットを移動させることで、第１撮影状態と第２撮影状態とを切り替える、
ことを特徴とする撮像装置。
【請求項２】
前記レンズユニットは、前記撮像装置本体に回動可能に取り付けられており、
前記第１位置は、前記レンズユニットが前記撮像装置本体の前面を覆う位置であり、
前記第２位置は、前記レンズユニットが前記第１位置から回動して前記撮像装置本体の前面から離れた位置である、
ことを特徴とする請求項１に記載の撮像装置。
【請求項３】
前記光源は、前記撮像装置本体に設けられた光学レンズの周囲に複数設けられている、
ことを特徴とする請求項１又は２に記載の撮像装置。
【請求項４】
前記第１撮影状態は、ダーモスコピー撮影状態であり、
前記第２撮影状態は、通常撮影状態である、
ことを特徴とする請求項１乃至３のいずれか１項に記載の撮像装置。
【請求項５】
前記導光部材は、先細の形状を有し、前記レンズユニットの内周面を覆うように取り付けられており、入射した光を先端に向けて導光することで、集光した光を出射する、
ことを特徴とする請求項１乃至４のいずれか１項に記載の撮像装置。
【請求項６】
前記撮像装置本体は、前記光源の光を拡散する光拡散部を有している、
ことを特徴とする請求項１乃至５のいずれか１項に記載の撮像装置。
【請求項７】
操作を受け付ける操作受付部を有し、受け付けた操作に基づいて前記撮像装置本体に指示を送る操作部をさらに備え、
前記操作部は、前記撮像装置本体と物理的に分離している、
ことを特徴とする請求項１乃至６のいずれか１項に記載の撮像装置。
【請求項８】
光源を有する撮像装置本体に着脱可能な撮像装置用レンズユニットであって、
入射した光を集光して出射する導光部材と、コンバージョンレンズと、を備え、
前記撮像装置本体に取り付けられた際、前記光源から出射された光を前記導光部材に入射させて、前記コンバージョンレンズを介した撮影に必要な光を被写体に向けて照射する、
ことを特徴とする撮像装置用レンズユニット。
【発明の詳細な説明】
【技術分野】
【０００１】
本発明は、撮像装置、及び撮像装置用レンズユニットに関する。
【背景技術】
【０００２】
近年、高齢化やオゾン層破壊によってメラノーマ（悪性黒色腫）などの皮膚疾患の増加が問題となっている。このような皮膚疾患の診断には、皮膚内部の色素分布や色合いを撮影できるダーモスコピーカメラと呼ばれる撮像装置が活用されている。
【０００３】
例えば、特許文献１には、ダーモスコープの取り付け及び取り外しが可能なカメラ付き携帯電話が開示されている。ダーモスコピー撮影の際には、ダーモスコープを取り付けたカメラ付携帯電話で皮膚疾患部を撮影し、通常撮影の際には、ダーモスコープを取り外したカメラ付携帯電話で皮膚疾患部を撮影する。
【先行技術文献】
【特許文献】
【０００４】
【特許文献１】特開２００５−１９２９４４号公報
【発明の概要】
【発明が解決しようとする課題】
【０００５】
しかしながら、特許文献１に開示の発明では、ダーモスコピー撮影と通常撮影とを切り替える際、ダーモスコープの取付け取り外しが必要となる。また、ダーモスコピー撮影と通常撮影とを異なるカメラで撮影することもできるが、カメラの交換が必要となる。このように、異なる撮影の切り替えが容易でなかった。
【０００６】
本発明は、このような問題点に着目してなされたもので、異なる撮影を容易に切り替えることができる撮像装置、及び撮像装置用レンズユニットを提供することを目的とする。
【課題を解決するための手段】
【０００７】
上記目的を達成するため、本発明の撮像装置は、
光源を有する撮像装置本体と、
前記撮像装置本体に移動可能に設けられ、入射した光を集光して出射する導光部材とコンバージョンレンズとを有するレンズユニットと、を備え、
前記光源から出射された光を前記導光部材に入射させる第１位置と、前記光源から出射された光を前記導光部材に入射させない第２位置との間で前記レンズユニットを移動させることで、第１撮影状態と第２撮影状態とを切り替える、
ことを特徴とする。
【発明の効果】
【０００８】
本発明によれば、異なる撮影を容易に切り替えることができる。
【図面の簡単な説明】
【０００９】
【図１】本発明を適用したダーモスコピーカメラの図であり、ダーモスコピー撮影時のダーモスコピーカメラの斜視図。
【図２】本発明を適用したダーモスコピーカメラの図であり、通常撮影時のダーモスコピーカメラの斜視図。
【図３】本発明を適用したダーモスコピーカメラの正面図。
【図４】図３中の切断線ＩＶ−ＩＶで切断したダーモスコピーカメラの分解切断面図。
【図５】ダーモスコピー撮影時におけるダーモスコピーカメラの切断面図。
【図６】通常撮影時におけるダーモスコピーカメラの切断面図。
【図７】ＬＥＤから出射された光の照度分布の様子を示した概略図であり、(ａ）は図５に示す照射面における分布図、（ｂ）は図６に示す照射面における分布図。
【図８】本発明を適用したダーモスコピーカメラの他の実施形態を示した斜視図。
【発明を実施するための形態】
【００１０】
以下、本発明を適用したダーモスコピーカメラの実施形態について、図面を参照しながら説明する。なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」及び「ダーモスコピー（Dermoscopy）」の用語を、皮膚検査用の拡大鏡（装置）及び同拡大鏡を用いた皮膚検査又は同拡大鏡使用（行為）という意味で用いている。
【００１１】
（ダーモスコピーカメラ１の全体構成）
図１は、本発明を適用したダーモスコピーカメラの図であり、ダーモスコピー撮影時のダーモスコピーカメラの斜視図である。図２は、本発明を適用したダーモスコピーカメラの図であり、通常の撮影時のダーモスコピーカメラの斜視図である。図３は、本発明を適用したダーモスコピーカメラの正面図である。図４は、図３中の切断線ＩＶ−ＩＶで切断したダーモスコピーカメラの分解切断面図である。図１〜図４に示すように、ダーモスコピーカメラ１は、カメラ本体（撮像装置本体）１０と、カメラ本体１０に回動可能に取り付けられたレンズユニット２０とによって概略構成されている。
【００１２】
なお、以下の説明において、図１に示すように、撮像対象側をダーモスコピーカメラ１の前方（前面、正面）、その反対側を後方とし、ダーモスコピーカメラ１を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行えばよい。
【００１３】
ダーモスコピーカメラ１は、図１に示すように、レンズユニット２０をカメラ本体１０の前方に配置して（第１位置に配置して）ダーモスコピー撮影が可能なダーモスコピー撮影状態（第１撮影状態）と、図２に示すように、レンズユニット２０を上方へ回動させて、カメラ本体１０の前方を開放する配置として（第２位置に配置して）通常撮影が可能な通常撮影状態（第２撮影状態）とに切り替えることができる。なお、通常撮影とは、例えば皮膚疾患部の表面を撮影するといった一般的なカメラの使用方法による撮影を意味している。
【００１４】
（カメラ本体１０の構成について）
カメラ本体１０は、筐体１１を有し、この筐体１１の内部にズームレンズ部１２、光源としての複数のＬＥＤ（Light Emitting Diode）１３ａが搭載されたＬＥＤ基板１３、光拡散板１４、回路配線基板３０、及び撮像素子３１といった種々の構成部品を収容している。筐体１１には、上面にシャッタボタン１８（図３）、右面に電源ボタン１７が設けられている。
【００１５】
さらに、筐体１１の内部には、シャッタボタン１８の操作に応じて、撮像素子３１が読み取った撮影画像を記憶する記憶部と、上述した各部を制御する制御部と、上述した各部に電源を供給するバッテリー部と、が設けられているが、これらの図示は省略する。
【００１６】
カメラ本体１０には、通常の撮影に用いられる公知の撮影装置、例えば市販されているデジタルカメラの構成を採用することができ、例えば、ズームレンズ部１２、回路配線基板３０、及び撮像素子３１は、公知の部品を用いることができる。ズームレンズ部１２は公知の光学レンズを有している。また、撮像素子３１としては、ＣＣＤ（Charge Coupled Device）イメージセンサやＣＭＯＳ（Complementary Metal Oxide Semiconductor）イメージセンサを用いることができる。また、カメラ本体１０には、撮像した画像を表示するとともに、ダーモスコピーカメラ１の各種設定を実行するためのタッチパネル式の画面（不図示）が設けられている。
【００１７】
筐体１１には、ズームレンズ部１２を取り囲むように、円環状の凹部からなる基板収容部１１ａが形成されている。ＬＥＤ１３ａを搭載したＬＥＤ基板１３は、基板収容部１１ａに収容されている。また、筐体１１には、ＬＥＤ基板１３の前方を覆うように光拡散部としての光拡散板１４が載置されている。
【００１８】
ＬＥＤ基板１３は円環状をなし、その前面には８つのＬＥＤ１３ａが搭載されている。８つのＬＥＤ１３ａは、図３に示すように、ＬＥＤ基板１３の中心に対して同心円上に等間隔で配置されている。これにより、ＬＥＤ１３ａを搭載するＬＥＤ基板１３は、ズームレンズ部１２の外周位置から光を前方に向けて出射するリングフラッシュとして機能する。ＬＥＤ１３ａは、白色光を発するＬＥＤから構成されている。
【００１９】
光拡散板１４は、例えば透光性を有する合成樹脂から構成されており、その表面に微小な凹凸が形成されている。光拡散板１４は、ＬＥＤ１３ａから出射された光を通し、拡散光として前方へと出射する。
【００２０】
カメラ本体１０の上部には、レンズユニット２０を回動自在に支持する回動支持部１９が形成されている。回動支持部１９の左右の面にはそれぞれ、レンズユニット２０の回動軸となる回動突起（不図示）が形成されている。この回動突起（不図示）にレンズユニット２０の回動部２５が軸支されることにより、レンズユニット２０は回動軸Ｒを中心に回動することができる。
【００２１】
図２に示すように、筐体１１の円環状の縁部には、前方に向けて突出した２つの係合凸部１５が形成されているとともに、２箇所に磁性体１６が取り付けられている。係合凸部１５は、ダーモスコピーカメラ１がダーモスコピー撮影状態（図１）にある場合に、レンズユニット２０の縁部に形成された係合凹部２０ａに係合する。これにより、カメラ本体１０とレンズユニット２０とを所定の位置関係とすることができる。また、カメラ本体１０に設けられた磁性体１６とレンズユニット２０に設けられた磁性体２６を互いに吸着させることにより、レンズユニット２０がカメラ本体１０に当接した状態を維持することができる。
【００２２】
（レンズユニット２０の構成について）
レンズユニット２０は、円錐体の先端がカットされたような筒状体のカバー体４０、カバー体４０の先端に取り付けられカバー体４０と同様に円錐体の先端がカットされたような筒状体の先端カバー体４１と、図４に示すように、カバー体４０に取り付けられたコンバージョンレンズ２１、及び導光板２２と、先端カバー体４１に取り付けられた偏光フィルタ２３、及びカバーレンズ２４と、を有している。レンズユニット２０は、皮膚疾患部を拡大するためのダーモスコープとして機能する。
【００２３】
カバー体４０は、例えばポリ塩化ビニル誘導体やアクリル系樹脂などの樹脂から構成されている。カバー体４０の外形は、前方に向かうにつれて先細形状を有し、その内部は中空である。また、カバー体４０の中空部も、前方に向かうにつれて縮径した形状を有している。
【００２４】
コンバージョンレンズ２１は、両面凸レンズであり、カメラ本体１０のズームレンズ部１２と皮膚疾患部との間に介在し、撮像画像の拡大倍率を増大させる。具体的には、ズームレンズ部１２の拡大倍率と合わせて、患者の疾患部を１０〜３０倍に拡大可能なレンズが採用される。コンバージョンレンズ２１は図示しない支持部を介して、カバー体４０の内周面に取り付けられている。
【００２５】
導光板２２は、図４に示すように、入射した光を導光する導光板本体２２ｂと、導光板本体２２ｂの内周面に形成された反射膜２２ａと、導光板本体２２ｂの外周面に形成された反射膜２２ｃとを有している。導光板２２は、前方に向けた縮径した中空の形態を有している。導光板２２は、カバー体４０の内周面に、自身の外周面を密着させた状態で取り付けられている。導光板本体２２ｂは、例えば、アクリル等の透光性を有する合成樹脂から構成されている。導光板本体２２ｂの後方側の端面は、光入射面２２ｄを形成する。光入射面２２ｄは、ダーモスコピー撮影状態の場合に、ＬＥＤ１３ａの前方に配され、ＬＥＤ１３ａから出射された光が入射する面である。一方、導光板本体２２ｂの前方側の端面は、光出射面２２ｅを形成する。光出射面２２ｅは、導光板本体２２ｂに導光された光が外部へ出射される面である。反射膜２２ａ及び反射膜２２ｃは、例えばアルミ等の金属膜であり、導光板本体２２ｂの表面から導光される光が外部に漏れるのを防止する。これにより、光入射面２２ｄから入射した光を弱めることなく、光出射面２２ｅから出射することができる。
【００２６】
先端カバー体４１は、例えばポリ塩化ビニル誘導体やアクリル系樹脂などの樹脂から構成されている。先端カバー体４１は、筒状体をなし、外周面には撮影者が指を引っ掛けるための凹部である引掛け部４１ａが複数形成されている。撮影者は、例えば先端カバー体４１をカバー体４０にねじ込むことにより、カバー体４０の先端に先端カバー体４１を装着することができる。このように、先端カバー体４１とカバー体４０とは螺号や嵌合などの公知の方法によって着脱自在な構成となっている。先端カバー体４１の先端には、カバーレンズ２４を嵌め込むための開口４１ｂが形成されている。
【００２７】
偏光フィルタ２３は、先端カバー体４１の中空部に設けられる。先端カバー体４１がカバー体４０に装着されると、偏光フィルタ２３は、導光板２２の前方に配される。偏光フィルタ２３は、導光板２２の光出射面２２ｅから出射された光を通過させる際に偏光する。偏光された光は、皮膚表面での乱反射が抑制されながら皮膚下の物質によって反射される。
【００２８】
カバーレンズ２４は、先端カバー体４１の先端に形成された開口４１ｂに嵌合されている。カバーレンズ２４は、透明の合成樹脂から構成されて、偏光フィルタ２３から出射された光を前方へ通過させるとともに、反射光をダーモスコピーカメラ１内に入射させる。また、カバーレンズ２４は、レンズユニット２０内を湿気やほこりから保護する。ダーモスコピー撮影時には、カバーレンズ２４は、皮膚疾患部に接触した状態にされる。
【００２９】
（ダーモスコピー撮影時におけるＬＥＤ光の進行について）
図５は、ダーモスコピー撮影時におけるダーモスコピーカメラの切断面図である。ＬＥＤ１３ａから出射された光は、光拡散板１４を通過し、光入射面２２ｄ（図４）から導光板本体２２ｂに入射する。導光板本体２２ｂに入射した光は、矢印Ｌ１、Ｌ２で示すように、反射膜２２ａ、及び反射膜２２ｃで反射されながら導光板本体２２ｂ内部で導光される。これにより導光される光は、先端に向かうにつれてレンズユニット２０の中央に集光されていく。やがて、導光板本体２２ｂ内部で導光された光は、矢印Ｌ３に示すように、光出射面２２ｅから出射され、偏光フィルタ２３を通過する。偏光フィルタ２３により偏光された光は、矢印Ｌ４に示すように、カバーレンズ２４を通り前方へと出射される。
【００３０】
（通常撮影時におけるＬＥＤ光の進行について）
図６は、通常撮影時におけるダーモスコピーカメラの切断面図である。ＬＥＤ１３ａから出射された光は、光拡散板１４を通り、矢印Ｌ５に示すように、拡散光として前方へと出射される。このような光を出射するＬＥＤ１３ａは、ズームレンズ部１２の外側に設けられた円周上に等間隔で配置されており、ズームレンズ部１２と略同一平面内に配置されている。
【００３１】
（ＬＥＤ光の照度分布について）
次に、ダーモスコピーカメラ１のＬＥＤ１３ａから出射された光の照度分布について説明する。図７は、ＬＥＤから出射された光の照度分布の様子を示した概略図であり、（ａ）は図５に示す照射面における分布図、（ｂ）は図６に示す照射面における分布図である。ここで、図５に示す照射面５１は、ダーモスコピー撮影時における皮膚疾患部の表面位置に相当する。また、図６に示す照射面５２は、通常撮影時における皮膚疾患部の表面位置に相当する。照射面５２は、例えば、ダーモスコピーカメラ１から１メートル離間した位置にある。なお、図７各図においては、照度が高い領域ほど、白色に近い色で塗りつぶしてある。
【００３２】
上述したように、ダーモスコピー撮影時においては、ＬＥＤ１３ａから出射された光は、先端に向かうにつれてカバー体４０の中央に向けて導光される。そのため、カバーレンズ２４から出射される光は、ＬＥＤ１３ａからの光が集光された強い光となる。また、ダーモスコピー撮影時には、カバーレンズ２４は皮膚疾患部に接触した状態にある。そのため、図７（ａ）に示すように、皮膚疾患部の表面に相当する照射面５１に光が強く照射される照射領域５１ａが形成され、その外側に光が照射されない非照射領域５１ｂが形成される。この照射領域５１ａの大きさは、カバーレンズ２４（図５）の大きさとおおよそ同じである。このように、ダーモスコピー撮影時において、導光板２２によって集光した強い光を皮膚疾患部に照射することができる。そのため、皮膚下の物質に光を照射、反射させることができ、ダーモスコピー画像を撮影することができる。
【００３３】
一方、通常撮影時においては、図６に示すように、同心円上に等間隔で設けれらたＬＥＤ１３ａからの光は光拡散板１４により拡散されて前方へと出射される。これにより、照射面５２に到達する光の照射範囲は、ダーモスコピー撮影時よりも広くなる一方、照射する光の強さは弱くなる。例えば、通常撮影時においては、図７（ｂ）に示すように、照射面５２に、照射領域５１ａよりも面積が大きいが低い照度の照射領域５２ａと、照射領域５２ａよりも面積が大きく照度が低い照射領域５２ｂと、照射領域５２ｂよりも面積が大きく照度が低い照射領域５２ｃと、その外側に光が照射されない非照射領域５２ｄが形成される。このことから、通常撮影時には、皮膚疾患部を中心として広範囲に光を照射することができる。また、通常撮影時には、ダーモスコピー撮影時よりも照度の低い照明での撮影が可能であることから、皮膚疾患部を含めた広い範囲を通常撮影することができる。
【００３４】
（ダーモスコピーカメラ１の使用例）
ダーモスコピーカメラ１を用いてダーモスコピー撮影を行う場合、撮影者は、レンズユニット２０を回動させて、図１に示すように、カメラ本体１０にレンズユニット２０を当接させた第１位置に移動させる。その際、カメラ本体１０に形成された係合凸部（図２）をレンズユニット２０に形成された係合凹部２０ａに挿入させるとともに、カメラ本体１０の磁性体１６とレンズユニット２０の磁性体２６とを吸着させる。これにより、カメラ本体１０の前方をレンズユニットで覆ったダーモスコピー撮影状態を保持することができる。そして、撮影者は、電源ボタン１７を押して電源を入れ、例えばシャッタボタン１８を半押しすることによりＬＥＤ１３ａを発光させる。そして、皮膚疾患部にカバーレンズ２４を接触させる。これにより、偏光フィルタ２３により偏光されカバーレンズ２４から出射される光は、皮膚疾患部の表面での乱反射を抑制しながら皮膚下に到達し、皮膚下の物質によって反射される。この反射光は、カバーレンズ２４及び偏光フィルタ２３を介してダーモスコピーカメラ１内に取り込まれる。取り込まれた光は、コンバージョンレンズ２１及びズームレンズ部１２を介して１０〜３０倍に拡大され、カメラ本体１０の撮像素子３１上に結像される。任意のタイミングでカメラ本体１０のシャッタボタン１８を全押しすると、撮像素子３１が読み取った撮像画像がカメラ本体１０の記憶部に記憶される。このように記憶された撮像画像は、例えば、色素細胞母斑、悪性黒色腫、脂漏性角化症、基底細胞癌、血管病変及びボーエン病などの検査、及び診断に用いることができる。
【００３５】
続いて、ダーモスコピーカメラ１を用いて通常撮影を行う場合、撮影者は、レンズユニット２０を上方に回動させる。そして、図２に示すように、カメラ本体１０の前方からレンズユニット２０を移動させて、カメラ本体１０の前方を開放する第２位置に配置する。そして、撮影者は、皮膚疾患部から所定距離離間させて、ズームレンズ部１２を皮膚疾患部に向ける。続いて、撮影者は、例えばシャッタボタン１８を半押しすることによりＬＥＤ１３ａを発光させる。ＬＥＤ１３ａから出射された光は、拡散光となって、皮膚疾患部を中心とした広い範囲を照射する。照射した光は、皮膚疾患部の表面で反射され、ズームレンズ部１２に取り込まれて、カメラ本体１０の撮像素子３１上に結像される。任意のタイミングでカメラ本体１０のシャッタボタン１８を全押しすると、撮像素子３１が読み取った撮像画像がカメラ本体１０の記憶部に記憶される。
【００３６】
（実施形態の効果について）
以上説明したように、本発明を適用したダーモスコピーカメラ１においては、カメラ本体１０の前面をレンズユニット２０で覆った状態で、ダーモスコピー撮影ができるとともに、カメラ本体の前面を開放した状態で、通常撮影をすることができる。そして、ダーモスコピー撮影と通常撮影との切り替えを、カメラ本体１０の回動可能に取り付けられたレンズユニット２０を回動させることだけで実現することができる。これにより、ダーモスコピーカメラ１において、ダーモスコピー撮影と通常撮影とを容易に切り替えることができる。
【００３７】
また、ズームレンズ部１２の外側の円周上に、等間隔でＬＥＤ１３ａを配置することで、通常撮影時において、皮膚疾患部を中心として広範囲に光を照射することができる。さらに、ＬＥＤ１３ａの前方に光拡散板１４を設置することによっても、通常撮影時に広範囲に光りを照射することができる。これにより、通常撮影時に、皮膚疾患部の周りを含めた広い範囲の画像を撮影することができる。
【００３８】
また、ダーモスコピー撮影時に、ＬＥＤ１３ａから出射された光を導光し集光する導光板２２を、レンズユニット２０の内部に設けている。この導光板２２により、ＬＥＤ１３ａから出射された光を弱めることなくダーモスコピーカメラ１から出射することができる。これにより、鮮明なダーモスコピー画像を得ることができる。
【００３９】
また、導光板２２の外周面及び内周面に反射膜２２ａ、２２ｃを形成することにより、導光板２２が光を導光する際に外部に光が漏れることを抑制することができる。これにより、ダーモスコピー撮影時に、導光する光を弱めることなく、ダーモスコピーカメラ１から強い光を出射することができる。
【００４０】
また、導光板２２の形状を、前方に向かうにつれ先細の形状とすることにより、導光板２２に入射した光を先端に向けて集光することができる。これにより、ダーモスコピー撮影に必要な十分な光をダーモスコピーカメラ１から出射することができる。
【００４１】
また、レンズユニット２０に導光板２２を設けることにより、通常撮影時及びダーモスコピー撮影時における光の照射を、共通のＬＥＤ１３ａによって実現することができる。これにより、異なる撮影に合わせて複数種類の光源を設ける必要はなく、ダーモスコピーカメラ１の構成を簡略化することができる。
【００４２】
また、レンズユニット２０において、カバー体４０に先端カバー体４１を取り外し自在な構成としている。ダーモスコピー撮影時には、カバーレンズ２４は皮膚疾患部に接触させた状態で用いられるが、撮影が終了すると、カバーレンズ２４が取り付けられた先端カバー体４１を取り外して洗浄することができる。これにより、ダーモスコピー撮影後の洗浄作業を容易にすることができる。また、先端カバー体４１を複数用意しておくことで、先端カバー体４１を交換して、他の患者の撮影を行うことができ、診察時間の短縮を図ることができる。
【００４３】
（他の形態について）
この発明は、上記実施の形態に限定されず、様々な変形及び応用が可能である。上述の実施形態では、カメラ本体１０に対してレンズユニット２０を回動させることで、ダーモスコピー撮影と通常撮影とを切り換える形態について説明した。レンズユニット２０の移動態様は、このような回動だけでなく、例えば、レンズユニット２０をカメラ本体１０に対してスライドさせる態様であってもよい。ダーモスコピー撮影の際は、ズームレンズ部１２の前方をレンズユニット２０で覆うように配置し、通常撮影の際は、レンズユニット２０をスライドさせてズームレンズ部１２の前方から移動させればよい。
【００４４】
また、ダーモスコピー撮影に際して、偏光作用を有するジェルを皮膚疾患部に塗布して撮影する場合には、先端カバー体４１に設けた偏光フィルタ２３は省略することができる。なお、偏光フィルタ２３を有する先端カバー体４１と偏光フィルタ２３を有しない先端カバー体４１とを準備しておくことで、ダーモスコピー撮影時の撮影対応を状況に応じて選択することができる。
【００４５】
また、上記実施形態では、光源は、円周上に配されたＬＥＤ１３ａであると説明したが、他の光源を採用してもよい。例えば、ハロゲンランプなどの高輝度ライト、半導体発光素子、及び有機エレクトロルミネッセンスなどの発光素子を用いることができる。
【００４６】
また、ＬＥＤ１３ａは、白色光を発するＬＥＤから構成されていると説明したが、例えば紫外線光源、青色光光源、あるいは緑色光光源を採用してもよい。また発する光の色が互いに異なる光源を設けるようにして、異なる色の光源ごとに独立して発光できる態様であってもよい。このように、異なる色の光を照射して撮像画像を得ることで、異なる像をえることができ、異なる像を比較したり、像を重ね合わせたりすることで、皮膚疾患部の検査、及び診断を容易なものとすることができる。
【００４７】
また、上記実施形態では、ＬＥＤ１３ａの前方に光拡散板１４を設置したが、通常撮影時に、照射面（図６）に広範囲に光を照射可能な光源を採用して、光拡散板１４を省略してもよい。また、光拡散板１４の代わりに、入射した光をそのまま透過する透明板を設置してもよい。
【００４８】
また、ダーモスコピー撮影時には、カバーレンズ２４は、皮膚疾患部に接触した状態にされると説明した。しかしながら、十分な照度の光を照射できるのであれば、カバーレンズ２４を皮膚疾患部に近づけることで、ダーモスコピー撮影が可能である。この場合、ダーモスコピー撮影後の洗浄作業が不要となり、診察時間の短縮を図ることができる。
【００４９】
また、コンバージョンレンズ２１は、一つの両面凸レンズであると説明したが、他の形態のものも採用することができる。例えば、コンバージョンレンズ２１は、２つ又は複数の凸レンズを組み合わせたレンズ、１つのアクロマートレンズ、２つ又は複数のアクロマートレンズを組み合わせたいずれかであってもよい。また、コンバージョンレンズ２１は、無収差レンズであってもよいし、球面レンズに非球面レンズを組み込んだものでも良い。また、これらのレンズが、反射防止膜やカラーフィルタを含むものであってもよい。
【００５０】
また、レンズユニット２０に、ＬＥＤ１３ａからの光を先端に向けて集光する導光部材としての導光板２２を設置したが、導光板２２の代わりに他の公知の導光部材を設けるようにしてもよい。例えば、先端に向けて光を導光する光ファイバーを設けてもよい。
【００５１】
また、本発明に係る撮像装置は、上記実施形態で説明したダーモスコピーカメラ１のように、ダーモスコピー撮影状態と通常撮影状態との切り替え可能な撮像装置に限定されない。また、被写体としても皮膚疾患部に限定されない。例えば、構造物等に形成された穴の内部に光を照射して、光を照射した穴の内部を拡大して撮影する撮影状態（レンズユニットをカメラ本体の前方に位置させた状態）と、穴から離間した位置からから穴の周辺を含めた範囲を撮影する撮影状態（レンズユニットをカメラ本体の前方を開放する状態）とを切り替え可能な撮像装置等にも、本発明を適用することができる。
【００５２】
また、上記のダーモスコピーカメラ１においては、カメラ本体１０に、シャッタボタン１８や、ダーモスコピーカメラ１の各種設定を実行するためのタッチパネル式の画面（不図示）が設けられていると説明した。しかしながら、シャッタボタン１８やタッチパネル式の画面（不図示）等の操作受付部を、カメラ本体とは物理的に分離した操作部に設けるようにしてもよい。カメラ本体と操作部とは、既存の通信技術を用いて双方向に通信可能である。撮影者は、操作部を操作することにより、カメラ本体の各種設定やシャッタ操作等を行うことができる。
【００５３】
また、上記のダーモスコピーカメラ１において、レンズユニット２０はカメラ本体１０に回動可能に取り付けられていると説明したが、レンズユニットをカメラ本体に対して着脱可能な構成としてもよい。図８は、本発明を適用したダーモスコピーカメラの他の実施形態を示した斜視図である。ダーモスコピーカメラ１００は、レンズユニット１２０を回動可能に支持するための回動支持部１９及び回動部２５（共に図１参照）を有していない。一方で、ダーモスコピーカメラ１００は、レンズユニット１２０をカメラ本体１１０に着脱する際に、撮影者が指を引っ掛けるための凹部１６０ａが形成された装着リング１６０が形成されている。その他の構成については、上記実施形態で説明したダーモスコピーカメラ１の構成と同様である。そのため、図８において、同様の構成については同じ符号を付している。
【００５４】
通常撮影時には、レンズユニット１２０を取り外したカメラ本体１１０で皮膚疾患部を撮影する。一方、ダーモスコピー撮影時には、撮影者は、レンズユニット１２０をカメラ本体１１０にねじ込み装着する。レンズユニット１２０とカメラ本体１１０とは螺号や嵌合などの公知の方法によって着脱自在の構成となっている。そして、レンズユニット１２０が取り付けられたダーモスコピーカメラ１００によって、ダーモスコピー撮影をすることができる。このように、レンズユニット１２０を、カメラ本体１１０に対して着脱することで、通常撮影状態と、ダーモスコピー撮影状態とを切り替えることができる。なお、通常撮影、及びダーモスコピー撮影の際における効果については、上記形態と同様である。
【００５５】
レンズユニット１２０は、上記実施形態のレンズユニット２０と同様、カメラ本体１１０に設けられた光源（不図示）から発せられた光を導光板（不図示）で導光することで、ダーモスコピー撮影時に必要な光を照射する。そのため、レンズユニット１２０に光源を設ける必要がなく、レンズユニット１２０の構成を簡単なものとすることができる。
【００５６】
その他、上記実施の形態で示した構成などの具体的な細部は、本発明の趣旨を逸脱しない範囲において適宜変更可能である。
【００５７】
本発明のいくつかの実施形態を説明したが、本発明の範囲は、上述の実施の形態に限定するものではなく、特許請求の範囲に記載された発明の範囲とその均等の範囲を含む。以下に、この出願の願書に最初に添付した特許請求の範囲に記載した発明を付記する。付記の番号は、この出願の願書に最初に添付した特許請求の範囲の通りである。
【００５８】
（付記１）
光源を有する撮像装置本体と、
前記撮像装置本体に移動可能に設けられ、入射した光を集光して出射する導光部材とコンバージョンレンズとを有するレンズユニットと、を備え、
前記光源から出射された光を前記導光部材に入射させる第１位置と、前記光源から出射された光を前記導光部材に入射させない第２位置との間で前記レンズユニットを移動させることで、第１撮影状態と第２撮影状態とを切り替える、
ことを特徴とする撮像装置。
（付記２）
前記レンズユニットは、前記撮像装置本体に回動可能に取り付けられており、
前記第１位置は、前記レンズユニットが前記撮像装置本体の前面を覆う位置であり、
前記第２位置は、前記レンズユニットが前記第１位置から回動して前記撮像装置本体の前面から離れた位置である、
ことを特徴とする付記１に記載の撮像装置。
【００５９】
（付記３）
前記光源は、前記撮像装置本体に設けられた光学レンズの周囲に複数設けられている、
ことを特徴とする付記１又は２に記載の撮像装置。
【００６０】
（付記４）
前記第１撮影状態は、ダーモスコピー撮影状態であり、
前記第２撮影状態は、通常撮影状態である、
ことを特徴とする付記１乃至３のいずれか１項に記載の撮像装置。
【００６１】
（付記５）
前記導光部材は、先細の形状を有し、前記レンズユニットの内周面を覆うように取り付けられており、入射した光を先端に向けて導光することで、集光した光を出射する、
ことを特徴とする付記１乃至４のいずれか１項に記載の撮像装置。
【００６２】
（付記６）
前記撮像装置本体は、前記光源の光を拡散する光拡散部を有している、
ことを特徴とする付記１乃至５のいずれか１項に記載の撮像装置。
【００６３】
（付記７）
操作を受け付ける操作受付部を有し、受け付けた操作に基づいて前記撮像装置本体に指示を送る操作部をさらに備え、
前記操作部は、前記撮像装置本体と物理的に分離している、
ことを特徴とする付記１乃至６のいずれか１項に記載の撮像装置。
【００６４】
（付記８）
光源を有する撮像装置本体に着脱可能な撮像装置用レンズユニットであって、
入射した光を集光して出射する導光部材と、コンバージョンレンズと、を備え、
前記撮像装置本体に取り付けられた際、前記光源から出射された光を前記導光部材に入射させて、前記コンバージョンレンズを介した撮影に必要な光を被写体に向けて照射する、
ことを特徴とする撮像装置用レンズユニット。
【符号の説明】
【００６５】
１，１００・・ダーモスコピーカメラ、１０，１１０・・カメラ本体、１１・・筐体、１１ａ・・筐体、１２・・ズームレンズ部、１３・・ＬＥＤ基板、１３ａ・・ＬＥＤ、１４・・光拡散板、１５・・係合凸部、１６，２６・・磁性体、１７・・電源ボタン、１８・・シャッタボタン、１９・・回動支持部、２０，１２０・・レンズユニット、２０ａ・・係合凹部、２１・・コンバージョンレンズ、２２・・導光板、２２ａ、２２ｃ・・反射膜、２２ｂ・・導光板本体、２２ｄ・・光入射面、２２ｅ・・光出射面、２３・・偏光フィルタ、２４・・カバーレンズ、２５・・回動部、３０・・回路配線基板、３１・・撮像素子、４０・・カバー体、４１・・先端カバー体、４１ａ・・引掛け部、４１ｂ・・開口、５１，５２・・照射面、５１ａ，５２ａ，５２ｂ，５２ｃ・・照射領域、５１ｂ，５２ｄ・・非照射領域
【図１】
2018163240.tif 000003
【図２】
2018163240.tif 000004
【図３】
2018163240.tif 000005
【図４】
2018163240.tif 000006
【図５】
2018163240.tif 000007
【図６】
2018163240.tif 000008
【図７】
2018163240.tif 000009
【図８】
2018163240.tif 000010